(57)【要約】【課題】本発明は、落下防止構造を有するカメラ筐体を提供することを目的とする。【解決手段】樹脂により成型され、カメラが取り付けられる第１面及び前記第１面と対向する第２面を有し、前記第２面から突出する第１ネジ受け部１９０が設けられたシャーシ１３と、樹脂により成型され、前記第１ネジ受け部１９０と嵌合する第１開口部１２０と配線を収納するための収納部１４０とが形成され、前記シャーシ１３の第２面を覆う蓋部１００とを含み、前記第１ネジ受け部１９０は前記第１開口部１２０から突出し、前記第１開口部１２０の径は前記第１ネジ受け部１９０に嵌め込まれるネジのネジ頭の径よりも小さく形成されているカメラ筐体を提供する。【選択図】      図２
2004356667.tif 000002
【特許請求の範囲】
【請求項１】
樹脂により成型され、カメラが取り付けられる第１面及び前記第１面と対向する第２面を有し、前記第２面から突出する第１ネジ受け部が設けられたシャーシと、
樹脂により成型され、前記第１ネジ受け部と嵌合する第１開口部と配線を収納するための収納部とが形成され、前記シャーシの第２面を覆う蓋部とを含み、
前記第１ネジ受け部は前記第１開口部から突出し、前記第１開口部の径は前記第１ネジ受け部に嵌め込まれるネジのネジ頭の径よりも小さく形成されている、カメラ筐体。
【請求項２】
前記シャーシは、前記第１ネジ受け部に連結され、前記第１ネジ受け部の径よりも大きい径を有するネジ誘導部をさらに含む、請求項１に記載のカメラ筐体。
【請求項３】
前記配線を固定する、一端がネジ止めされた帯状端子と、
前記蓋部には、前記帯状端子を露出する接続孔と、前記帯状端子の回転を抑制する回転抑制部とがさらに形成されている、請求項１に記載のカメラ筐体。
【発明の詳細な説明】
【０００１】
【発明の属する技術分野】
本発明は、建造物の天井や壁等に設置する取り付けカメラのカメラ筐体に関する。
【０００２】
【従来の技術】
図１０は従来の取り付けカメラの全体図、図１１は従来の取り付けカメラの取り付け面から見た斜視図である。従来の取り付けカメラ１は、カメラユニット等が取り付けられたシャーシ６及びカメラユニットを覆うカバーユニット５を有している。シャーシ６は、対向する２面と２面を連結する側面とを有している。シャーシ６の対向する２面は、金属で形成されており、２面のうち図１０及び図１１中下向き面は、カメラレンズなどのカメラユニットが取り付けられている。その面と対向し、シャーシ６の天井や壁２０等に接する取り付け面には、図１１に示すようにネジ受け部７０ａ、７０ｂ（ネジ受け部７０）が設けられている。このネジ受け部７０を介してネジ止めすることにより取り付けカメラ１を天井や壁２０等に設置する。また、シャーシ６の内部には、カメラ撮影用の回路基板が取り付けられている。
【０００３】
【発明が解決しようとする課題】
しかし、従来の取り付けカメラ１は、シャーシ６が金属で形成されているため、開口部の成型や立体成型などの加工が難しく成型の自由度が低い。また、金属を用いるため成型のコストや材料費がかかる。さらにシャーシ６が金属の場合は、取り付けカメラ１が電気的なノイズの影響を受け、取り付けカメラ１による撮影に障害を与える場合がある。そのためシャーシ６をアースしておく必要が生じ、機器設計段階からそのことを考慮しておかなくてはならない。しかし、シャーシ６に設けられたネジ受け部７０を介して取り付けカメラ１を天井や壁２０などにネジ止めすると、取り付けネジを介して天井や壁２０側にアースが取られてしまう場合がある。このとき、取り付けカメラ１側のアース電位と天井や壁２０側のアース電位とが異なると、ループ電流が流れてカメラの撮影機能に障害を与える。天井や壁２０側にアースが取られてしまうことを回避するには、取り付けネジとシャーシ６との間、あるいは取り付けネジと天井や壁２０との間を絶縁する必要があるが、部品が増えたり設置の手間が増えるなどの問題が生じる。
【０００４】
そこで、金属からなるシャーシ６を、樹脂から形成することが考えられている。図１２は、樹脂から形成されるシャーシのネジ止め部の断面図である。図１２に示すように樹脂から形成されるシャーシ９は、取り付けカメラ１を天井や壁２０にネジ止めするためのネジ受け部７０を有している。取り付けカメラ１は、シャーシ９のネジ受け部７０を介してネジ８０と天井や壁２０とが螺合されることにより取り付けられる。つまり、シャーシ９は、取り付けカメラ１を天井や壁２０等へ固定しつつ、取り付けカメラ１の落下を防止している。このとき、ネジ８０のネジ頭によりシャーシ９のネジ受け部７０周囲及び天井や壁２０等と接触しているシャーシ９が応力を受けている。そのため、シャーシ９がネジ締めトルクやソルベントクラック等の影響により樹脂割れした場合には、取り付けカメラ１が落下してしまうおそれがある。そこで、図１３に示すように樹脂からなるシャーシ９のネジ受け部７０周囲にワッシャ９０を設ける方法がある。ここでワッシャとは、ネジを締めるときに、ネジに挟み込む金属製の輪のことを言う。このようにネジ受け部７０にワッシャ９０を設けることで、ネジ止めされた場合のネジ受け部７０周囲の応力が分散される。しかしながら、樹脂からなるシャーシ９に応力がかかっており、シャーシ９の樹脂割れを完全に防止することはできない。そのため、シャーシ９が割れることにより取り付けカメラ１が天井や壁２０等から落下するという問題がある。
【０００５】
そこで、本発明は、落下防止構造を有するカメラ筐体を提供することを目的とする。
【０００６】
【課題を解決するための手段】
上記の課題を解決するために、本願第１発明は、樹脂により成型され、カメラが取り付けられる第１面及び前記第１面と対向する第２面を有し、前記第２面から突出する第１ネジ受け部が設けられたシャーシと、樹脂により成型され、前記第１ネジ受け部と嵌合する第１開口部と配線を収納するための収納部とが形成され、前記シャーシの第２面を覆う蓋部とを含み、前記第１ネジ受け部は前記第１開口部から突出し、前記第１開口部の径は前記第１ネジ受け部に嵌め込まれるネジのネジ頭の径よりも小さく形成されているカメラ筐体を提供する。
【０００７】
シャーシと蓋部とが嵌合した場合、カメラ筐体を天井や壁へ固定するためのネジを受ける第１ネジ受け部がシャーシの第１開口部から突出する。よって、カメラ筐体を天井や壁などにネジ止めした場合、第１ネジ受け部に通されたネジが天井や壁等と螺合し、かつシャーシの第１ネジ受け部と天井や壁とが密着することでカメラ筐体が取り付けられる。このとき、第１開口部の径が第１ネジ受け部に嵌合されるネジのネジ頭の径よりも小さく形成されているため、天井や壁と密着している第１ネジ受け部が樹脂割れした場合であっても、ネジ頭が第１開口部に引っかかる。よって、カメラ筐体の落下を防止することができる。また、樹脂から形成される蓋部には応力が働かず、蓋部の樹脂割れを防止することができる。さらに、上記のような構成のカメラ筐体においては、樹脂割れを防止するためのワッシャなどの別途の部品が不要なため、カメラ筐体にかかるコストを低下させることができる。
【０００８】
また、シャーシ及び蓋部は樹脂から形成されているため、第１ネジ受け部や配線を収納するための収納部等を一体成型により容易に形成することができる等、シャーシや蓋部の形状の自由度を高めることができる。さらに、蓋部が天井や壁等に接触した場合であっても、樹脂で形成されているため、シャーシに取り付けられている基板等に与える電気的影響を低減することができる。
本願第２発明は、本願第１発明において、前記シャーシは、前記第１ネジ受け部に連結され、前記第１ネジ受け部の径よりも大きい径を有するネジ誘導部をさらに含むカメラ筐体を提供する。
【０００９】
ネジ誘導部は第１ネジ受け部よりも大きい径を有して形成されているため、カメラ筐体を天井などに取り付ける作業が容易となる。例えば、カメラ筐体を取り付ける天井に、カメラ筐体の取り付けに先立ちネジを途中までねじ込む。この状態で、シャーシのネジ誘導部にそのネジを通し、ネジ誘導部に通っているネジが第１ネジ受け部に嵌合するようにシャーシを天井に沿う方向に動かす。従って、設置者は、シャーシを保持しつつネジ締めしなくても良くなり、カメラ筐体を天井に容易に取り付けることができる。
【００１０】
本願第３発明は、本願第１発明において、前記配線を固定する、一端がネジ止めされた帯状端子と、前記蓋部には、前記帯状端子を露出する接続孔と、前記帯状端子の回転を抑制する回転抑制部とがさらに形成されているカメラ筐体を提供する。
一端がネジ止めされた帯状端子に配線を固定する前は、帯状端子のネジ止めは緩められており、配線を帯状端子に固定する際にネジが締められる。カメラ筐体の設置者が帯状端子のネジを緩めた状態で帯状端子に配線を通そうとする時、帯状端子に配線が引っかかり、帯状端子が回転しようとする。しかし、回転抑制部により帯状端子の回転が防止され、設置者は容易に帯状端子に配線を通すことができる。また、設置者が一端のみがネジ止めされた帯状端子のネジ締めを行う際、回転抑制部は帯状端子がネジ締めに伴って回転するのを抑制する。よって、設置者は配線の固定を容易に行うことができる。なお、蓋部は樹脂であるため、収納部から突出する固定部を容易に形成することができる。
【００１１】
【発明の実施の形態】
＜実施形態例＞
図１（ａ）は本実施形態例の取り付けカメラのカメラユニット側の斜視図、図１（ｂ）は本実施形態例の取り付けカメラのカバーユニットの斜視図、図２はシャーシと蓋部との組み立て時の斜視図である。以下に、本実施形態例の取り付けカメラの構成を説明する。
本実施形態例の取り付けカメラ１は、カメラユニット３、カメラ筐体４及びカバーユニット５を有している。カメラユニット３は、カメラレンズ７、カメラ土台９及びカメラ取付部１１を有している。カメラ筐体４は、シャーシ１３及びシャーシ１３を覆う蓋部１００を有している。シャーシ１３は、樹脂から形成されており、第１面及び第１面と対向する第２面を有している。図１（ａ）に示すようにシャーシ１３の第１面には、カメラユニット３が取り付けられている。また、シャーシ１３の第１面には第１係合受け部２１ａ及び２１ｂが設けられており、カバーユニット５の第１係合部４１ａ及び４１ｂに係合することでカバーユニット５をシャーシ１３に固定する。シャーシ１３の第１面に取り付けられたカメラユニット３において、カメラレンズ７はカメラ土台９に固定され、カメラ土台９はシャーシ１３の第１面の平面に対して傾斜及び回転可能なようにカメラ取付部１１に取り付けられている。このカメラ土台９及びカメラ取付部１１によりカメラレンズ７の撮影方向の傾き及び回転を調整し、所望の方向を撮影できるように設定する。
【００１２】
図３は本実施形態例に係る取り付けカメラの第２面から見た平面図、図４は本実施形態例に係る取り付けカメラの第２面から見た斜視図である。図２〜図４に示すように、シャーシ１３の第２面、つまり天井や壁２０へ取り付けられる面を覆う蓋部１００は、第２係合部１１０ａ、１１０ｂ（第２係合部１１０）、第１開口部１２０ａ、１２０ｂ（第１開口部１２０）、第２開口部１３０ａ、１３０ｂ（第２開口部１３０）、収納部１４０、接続孔１５０ａ、１５０ｂ、１５０ｃ（接続孔１５０）及び回転抑制部１６０を有している。この蓋部１００は、樹脂から形成されている。
【００１３】
一方、シャーシ１３の第２面には、第２係合受け部１７０ａ、１７０ｂ（第２係合受け部１７０）、第１ネジ受け部１９０ａ、１９０ｂ（第１ネジ受け部１９０）及び第２ネジ受け部２００ａ、２００ｂ（図示しない）（第２ネジ受け部２００）が設けられている。ここで、第１ネジ受け部１９０は、シャーシ１３の第２面から突出するように設けられており、取り付けカメラ１を天井や壁２０等に固定するためのネジが嵌合される。このとき、第１ネジ受け部１９０は、後述の図５（ｂ）に示すようにネジと螺合される形状ではない。
【００１４】
ここで、蓋部１００に設けられた第１開口部１２０は、第１開口部１２０の径が第１ネジ受け部１９０に嵌め込まれるネジのネジ頭の径よりも小さく形成されるように、例えばシャーシ１３の第１ネジ受け部１９０の外周縁に沿うように形成されている。シャーシ１３と蓋部１００とを嵌合させた場合、シャーシ１３の第１ネジ受け部１９０は図５（ａ）に示すように蓋部１００の第１開口部１２０から突出する。また、図５（ｂ）に示すように取り付けカメラ１をネジ２０５により天井や壁２０等に取り付けた場合には、蓋部１００の第１開口部１２０から突出した第１ネジ受け部１９０が天井や壁２０等に接する。このとき、第１ネジ受け部１９０に嵌合されるネジ２０５は、第１ネジ受け部１９０と螺合せず、天井や壁２０等と螺合する。そして、ネジ２０５と天井や壁２０等との螺合によりシャーシ１３の第１ネジ受け部１９０と天井や壁２０等とが密着し、取り付けカメラ１が固定される。さらに、図５（ｂ）に示すように蓋部１００の第１開口部１２０は、第１開口部１２０の径が第１ネジ受け部１９０に嵌め込まれるネジ２０５のネジ頭の径よりも小さく形成されている。そのため、天井や壁２０等と密着している第１ネジ受け部１９０が樹脂割れした場合であっても、ネジ２０５のネジ頭が第１開口部１２０に係止されるため、取り付けカメラ１の落下を防止することができる。つまり、シャーシ１３の第１ネジ受け部１９０により取り付けカメラ１を固定しつつ、シャーシ１３が樹脂割れした場合でも蓋部１００の第１開口部１２０とネジ頭とにより取り付けカメラ１の落下を防止できる。
【００１５】
蓋部１００の収納部１４０は、天井や壁２０等に取り付けカメラ１を固定する際に、天井や壁２０側からの同軸ケーブル等の配線を収納するための空間である。収納部１４０に収納された配線等は接続孔１５０を介してシャーシ１３の第１面に通され、シャーシ１３の第１面に固定されたカメラユニット３に接続されたり、シャーシ１３の第１面及び／または第２面に取り付けられた回路基板に接続される。また、同軸ケーブルなどの配線等を固定する帯状端子２２０が回路基板上に設けられている場合には、帯状端子２２０の回転を抑制する回転抑制部１６０を収納部１４０に設けると好ましい。例えば、収納部１４０に同軸ケーブルを収納する場合、一般的に同軸ケーブルは太く、柔軟性に乏しいこと及びシャーシ１３に取り付けられた回路基板に電気的に接続するため、図６（ｂ）に示す固定部２１５、２１７により同軸ケーブルを固定する。例えば、シャーシ１３に取り付けられた回路基板２０７上には、図６（ａ）に示す同軸ケーブル２１０の芯線２１２を固定するための芯線固定部２１５や編線２１４を固定するための編線固定部２１７が設けられている。ここで、芯線固定部２１５はネジとネジ孔を有する台座部分の固定端子２１５ａとを有し、編線固定部２１７はネジ２３０とネジ孔を有する台座部分の固定端子２１７ａと帯状端子２２０とを有している。このとき帯状端子２２０は、端子の片側のみがネジ２３０により固定端子２１７ａに固定されている。このような回路基板２０７が設けられたシャーシ１３を図６（ｃ）に示すように蓋部１００により覆うと、芯線固定部２１５や編線固定部２１７が蓋部１００の接続孔１５０から突出する。蓋部１００から突出している編線固定部２１７への同軸ケーブル２１０の固定は、次のように行われる。一端が編線固定部２１７にネジ止めされた帯状端子２２０に同軸ケーブル２１０を固定する前は、帯状端子２２０のネジ２３０によるネジ止めは緩められている。カメラ筐体の設置者が帯状端子２２０のネジを緩めた状態で帯状端子２２０に配線を通そうとすると、帯状端子２２０に配線が引っかかり、帯状端子２２０が回転しようとする。しかし、回転抑制部１６０により帯状端子２２０の回転が防止され、設置者は固定された帯状端子２２０に容易に配線を通すことができる。さらに、同軸ケーブル２１０を帯状端子２２０に固定する際にネジ２３０が締められる。この一端のみがネジ止めされた帯状端子２２０のネジ締めを行う際、回転抑制部１６０は帯状端子２２０がネジ締めに伴って回転するのを抑制する。よって、同軸ケーブル２１０の固定を容易に行うことができる。また、帯状端子２２０により同軸ケーブル２１０や配線を固定することにより、配線等が基板２０７から外れ難くなり、カメラの撮影機能の低下や配線の切断を防止することができる。
【００１６】
上述のシャーシ１３と蓋部１００とは次のように嵌合される。蓋部１００の第２係合部１１０は、シャーシ１３の第２係合受け部１７０に係合し、シャーシ１３の第２面を覆うように蓋部１００をシャーシ１３に固定する。また、第２開口部１３０を介してネジ溝が切られた第２ネジ受け部２００とネジとを螺合させることで、蓋部１００をシャーシ１３にさらに固定する。
上記の構成は一例にすぎず、蓋部１００とシャーシ１３との固定は、蓋部１００がシャーシ１３から容易に外れないような構成であれば良く、上記の第２係合部１１０と第２係合受け部１７０との係合及び／または第２開口部１３０と第２ネジ受け部２００を介したネジによる固定に限定されず、形状、位置及び個数なども限定されない。
【００１７】
また、第１ネジ受け部１９０は、取り付けカメラ１が天井や壁２０などにネジ止めされる場合に、蓋部１００の第１開口部１２０から突出する構成であれば良い。例えば、蓋部１００とシャーシ１３とが嵌合された際に第１ネジ受け部１９０が第１開口部１２０から突出していない場合であっても、取り付けカメラ１を天井や壁２０に固定した際に第１ネジ受け部１９０が第１開口部１２０から突出し、天井や壁２０と接触する構成であっても良い。
図７はネジ誘導部を有するシャーシ及び蓋部の斜視図、図８は図７の平面図、図９はネジ誘導部を含むネジ受け部の拡大図である。図７〜図９に示すように、シャーシ１３は、第１ネジ受け部１９０に連結されるネジ誘導部２５０ａ、２５０ｂ（ネジ誘導部２５０）を有していると好ましい。このとき、図９に示すようにネジ誘導部２５０の内径Ａは、第１ネジ受け部１９０の内径Ｂよりも大きく形成されている。また、蓋部１００の第１開口部１２０は、図７に示すように、第１ネジ受け部１９０及びネジ誘導部２５０の外周縁に沿うように形成しておくと良い。ネジ誘導部２５０が形成されていると、シャーシ１３を天井などに取り付ける作業が容易となる。例えば、カメラ筐体を取り付ける天井に、カメラ筐体の取り付けに先立ち２つのネジを途中までねじ込む。このとき、設置者は、２つのネジの間隔及び位置を調整する。ネジ間隔は、第１ネジ受け部１９０の間隔に合うように調整される。取り付けられたネジに第１ネジ受け部１９０が係合した状態でカメラ筐体が所望の位置にくるよう、ネジ位置が調整される。途中までねじ込まれたネジをシャーシ１３のネジ誘導部２５０に通した後、ネジ誘導部２５０に通っているネジが第１ネジ受け部１９０に嵌るように、シャーシ１３を天井に沿う方向に回転させる。こうして、ネジと第１ネジ受け部１９０とを係合させる。このようにすれば、設置者はシャーシ１３を保持しつつネジ締めしなくても良くなり、カメラ筐体を天井に容易に取り付けることができる。
【００１８】
本実施形態例の取り付けカメラ１は、例えば以下のようにして設置される。蓋部１００及びカメラユニット３を取り付けたシャーシ１３を、シャーシ１３の第１ネジ受け部１９０及び蓋部１００の第１開口部１２０を介して天井や壁２０等にネジ止めする。このとき、図５（ｂ）に示すように第１ネジ受け部１９０はネジ２０５に螺合されることなく天井や壁２０等と接触する。一方、蓋部１００は天井や壁２０等と接触しない。さらにカバーユニット５をカメラユニット３を覆うようにシャーシ１３に取り付け、取り付けカメラ１が設置される。
【００１９】
本実施形態例の取り付けカメラ１では、シャーシ１３と蓋部１００とが嵌合した場合、カメラ筐体４を天井や壁へ固定するためのネジを受ける第１ネジ受け部１９０が第１開口部１２０から突出する。よって、取り付けカメラ１のカメラ筐体４を天井や壁２０などにネジ止めした場合、第１ネジ受け部１９０に通されたネジが天井や壁２０等と螺合し、かつシャーシ１３の第１ネジ受け部１９０天井や壁２０とが密着することで取り付けカメラ１が取り付けられる。このとき、第１開口部１２０の径が第１ネジ受け部１９０に嵌合されるネジ２０５のネジ頭の径よりも小さく形成されているため、天井や壁２０等と密着している第１ネジ受け部１９０が樹脂割れした場合であっても、ネジ頭が第１開口部１２０により係止される。よって、取り付けカメラ１の落下を防止することができる。また、樹脂から形成される蓋部１００には応力が働かず、蓋部１００の樹脂割れを防止することができる。さらに、上記のような構成の取り付けカメラ１においては、樹脂割れを防止するためのワッシャなどの別途の部品が不要なため、取り付けカメラ１にかかるコストを低下させることができる。
【００２０】
また、シャーシ１３及び蓋部１００は樹脂により形成されているため、第１ネジ受け部１９０や配線を収納するための収納部１４０や収納部１４０から突出する回転抑制部１６０等を一体成型により容易に形成することができる等、シャーシ１３や蓋部１００の形状の自由度を高めることができる。さらに、蓋部１００が天井や壁２０等に接触した場合であっても、樹脂で形成されているため取り付けカメラ１内部に収納されている基板等に与える電気的ノイズなどの影響が少ない。
【００２１】
【発明の効果】
本発明を用いることで、落下防止構造を有するカメラ筐体を提供することができる。
【図面の簡単な説明】
【図１】（ａ）本実施形態例の取り付けカメラのカメラユニット側の斜視図。
（ｂ）本実施形態例の取り付けカメラのカバーユニットの斜視図。
【図２】シャーシと蓋部との組み立て時の斜視図。
【図３】本実施形態例に係る取り付けカメラの第２面から見た平面図。
【図４】本実施形態例に係る取り付けカメラの第２面から見た斜視図。
【図５】（ａ）第１ネジ受け部と第１開口部との嵌合状態を示す断面図。
（ｂ）天井または壁に取り付けられた場合の第１ネジ受け部と第１開口部との嵌合状態を示す断面図。
【図６】（ａ）同軸ケーブル。
（ｂ）回路基板上の配線固定部を示す斜視図。
（ｃ）蓋部で覆われた回路基板上の配線固定部を示す斜視図。
【図７】ネジ誘導部を有するシャーシ及び蓋部の斜視図。
【図８】ネジ誘導部を有するシャーシ及び蓋部の平面図。
【図９】ネジ誘導部を含むネジ受け部の拡大図。
【図１０】従来の取り付けカメラの全体図。
【図１１】従来の取り付けカメラの取り付け面から見た斜視図。
【図１２】樹脂から成るシャーシを固定した場合の断面図。
【図１３】樹脂から成るシャーシをワッシャを用いて固定した場合の断面図。
【符号の説明】
１：取り付けカメラ
３：カメラユニット
４：カメラ筐体
５：カバーユニット
１３：シャーシ
１００：蓋部
１２０：第１開口部
１３０：第２開口部
１４０：収納部
１５０：接続孔
１６０：回転抑制部
１９０：第１ネジ受け部
２００：第２ネジ受け部
２５０：ネジ誘導部
【図１】
2004356667.tif 000003
【図２】
2004356667.tif 000004
【図３】
2004356667.tif 000005
【図４】
2004356667.tif 000006
【図５】
2004356667.tif 000007
【図６】
2004356667.tif 000008
【図７】
2004356667.tif 000009
【図８】
2004356667.tif 000010
【図９】
2004356667.tif 000011
【図１０】
2004356667.tif 000012
【図１１】
2004356667.tif 000013
【図１２】
2004356667.tif 000014
【図１３】
2004356667.tif 000015